(57)【要約】      （修正有）【課題】片手で開閉が可能であり、かつ、開状態においても蓋と容器本体とを一体的に保持することができる線香収納容器を提供する。【解決手段】線香収納容器１は、線香を収納可能な容器本体１０と、容器本体の上面１１に設けられ、収納された線香を取り出し可能な開閉孔１４を備える。容器本体の内部には閉鎖部材２０を備え、容器本体の第１側面１３Ａには、閉鎖部材２０を押圧可能な操作部材４０を備える。操作部材４０は、第１側面の内側を移動可能なベース部と、ベース部から第１側面の外側に突出する突出部４２とを備える。容器本体の第１側面には、操作部材の突出部４２が突出可能な開口部１５が形成される。突出部には、第１側面から露出した面に凹部４３を設ける。【選択図】図１
0003205989.tif 000002
【実用新案登録請求の範囲】
【請求項１】
線香を収納可能であるとともに収納された前記線香を取り出し可能な開閉孔を備える容器本体と、前記開閉孔を開閉可能な閉鎖部材と、前記閉鎖部材を開位置または閉位置に移動させる操作部材とを備え、
前記閉鎖部材は、その一端に設けられた第１磁性体と、前記第１磁性体に対向可能であるとともに前記容器本体に設けられた第２磁性体とによって前記開位置または前記閉位置のいずれかに維持することを特徴とする線香収納容器。
【請求項２】
前記操作部材は、前記容器本体内側を移動可能なベース部と、前記ベース部から前記容器本体外側に突出する突出部とを備え、
前記ベース部は、前記閉鎖部材の端部に当接可能な当接部と、前記当接部の反対側に位置する非当接部とを備えることを特徴とする請求項１記載の線香収納容器。
【請求項３】
前記操作部材は、前記当接部および前記非当接部の少なくともいずれか一方に第３磁性体を備え、
前記容器本体は、前記操作部材の前記ベース部が前記閉鎖部材に当接する位置において、前記第３磁性体に対向する第４磁性体と、前記閉鎖部材から離間する位置において、前記第３磁性体に対向する第５磁性体とを含むことを特徴とする請求項２記載の線香収納容器。
【考案の詳細な説明】
【技術分野】
【０００１】
この考案は、線香を入れるための線香収納容器に関し、より詳細には、容易に蓋を開閉することができる線香収納容器に関する。
【背景技術】
【０００２】
従来、容器本体と蓋とを備えた線香収納容器が知られる。この従来の線香収納容器は、容器本体に対して蓋を開閉可能に取り付けるとともに、不用意に蓋が外れないように、これらを嵌合することができるようにしている。したがって、蓋を閉じている状態において線香の飛び出しを防止することができ、特に携帯に便利である。
【先行技術文献】
【特許文献】
【０００３】
【特許文献１】特開２０１５−０１６３０６号公報
【考案の概要】
【考案が解決しようとする課題】
【０００４】
しかしながら、このような線香収納容器の蓋の開閉に際して、容器本体を一方の手に持ち、蓋を他方の手に持ってこれらを互いに離間させなければならないので両手がふさがってしまう。線香を取り出すためには、外した蓋をどこかに置かなければならないが、必ずしも安定して蓋を置く場所があるとは限らず、また、その動作が煩わしいという問題があった。さらに、蓋を容器本体から離間させる際、そのはずみで収納している線香が飛び出てしまう虞もあった。
【０００５】
この考案では、片手で開閉が可能であり、かつ、開状態においても蓋と容器本体とを一体的に保持することができる線香収納容器を提供することを課題とする。
【課題を解決するための手段】
【０００６】
この考案の線香収納容器は、線香を収納可能であるとともに収納された前記線香を取り出し可能な開閉孔を備える容器本体と、前記開閉孔を開閉可能な閉鎖部材と、前記閉鎖部材を開位置または閉位置に移動させる操作部材とを備え、前記閉鎖部材は、その一端に設けられた第１磁性体と、前記第１磁性体に対向可能であるとともに前記容器本体に設けられた第２磁性体とによって前記開位置または前記閉位置のいずれかに維持することを特徴とする。
【０００７】
前記操作部材は、前記容器本体内側を移動可能なベース部と、前記ベース部から前記容器本体外側に突出する突出部とを備え、前記ベース部は、前記閉鎖部材の端部に当接可能な当接部と、前記当接部の反対側に位置する非当接部とを備えることを特徴とするものであってもよい。
【０００８】
前記操作部材は、前記当接部および前記非当接部の少なくともいずれか一方に第３磁性体を備え、前記容器本体は、前記操作部材の前記ベース部が前記閉鎖部材に当接する位置において、前記第３磁性体に対向する第４磁性体と、前記閉鎖部材から離間する位置において、前記第３磁性体に対向する第５磁性体とを含むことを特徴とするものであってもよい。
【考案の効果】
【０００９】
この考案の線香収納容器によれば、操作部材を移動させることによって容器本体の開閉孔を覆う閉鎖部材を移動させることができる。すなわち、操作部材の移動によって開閉孔の開閉操作が可能で、かつその閉位置または開位置を保持することができる。蓋を外すことなく片手で開閉操作ができるのでその作業が容易であり、蓋を外した時の線香の飛び出しを予防することもできる。
【図面の簡単な説明】
【００１０】
【図１】この考案に係る線香収納容器の一実施形態を示す斜視図であって開閉孔の閉状態を示した図。
【図２】図１のＩＩ−ＩＩ線断面図。
【図３】（Ａ）図２のＩＩＩで囲った部分の拡大図。            （Ｂ）図３（Ａ）と同様の図であって開閉孔の開状態を示した図。
【考案を実施するための形態】
【００１１】
図１〜図３は、この考案の線香収納容器１の一実施形態を示すものである。特に図１を参照すれば、線香収納容器１は、容器本体１０と容器本体１０に設けられた開閉孔１４を備える。容器本体１０は、互いに離間対向する上面１１および下面１２と、これら上面１１および下面１２の間に延びる側面１３とを備える柱体である。この実施形態において容器本体１０は略四角柱であり、側面１３は互いに対向する第１側面１３Ａおよび第２側面１３Ｂと、これら第１側面１３Ａおよび第２側面１３Ｂの間に位置するとともに互いに対向する第３側面１３Ｃおよび第４側面１３Ｄとを備える。
【００１２】
容器本体１０内には線香を収納可能であるとともに、上面１１には収納された線香を取り出し可能な開閉孔１４を備える。開閉孔１４は、第２側面１３Ｂ側に位置するとともに、第３側面１３Ｃから第４側面１３Ｄに向かって延びる長円形である。この実施形態において、開閉孔１４を構成する少なくとも一部の面が、第２側面１３Ｂと同一面上に位置するようにしている（図２参照）。このようにすることによって、開閉孔１４に引っかかることなく線香２を取り出すことができる。
【００１３】
特に図２および図３を参照すれば、容器本体１０の内部には閉鎖部材２０を備え、閉鎖部材２０は開閉孔１４を閉鎖する閉位置（図３（Ａ）参照）および開閉孔１４を開放する開位置（図３（Ｂ）参照）を有する。閉鎖部材２０は、上面１１に隣接するように支持部材３０によって支持される。支持部材３０は、対向する第３側面１３Ｃおよび第４側面１３Ｄから突出して閉鎖部材２０の両側を支持する。
【００１４】
閉鎖部材２０は、容器本体１０の第１側面１３Ａ側に位置する一端２１と、第２側面１３Ｂ側に位置する他端２２と、これらの間に延びるとともにそれぞれ第３側面１３Ｃおよび第４側面１３Ｄに対向する図示しない両側とを備える。閉鎖部材２０の一端２１から他端２２までの寸法は、容器本体１０の第１側面１３Ａから第２側面１３Ｂまでの内寸よりも小さい。したがって、閉鎖部材２０は、第１側面１３Ａおよび第２側面１３Ｂの間において図３の横方向において移動可能である。また、閉鎖部材２０の両側間の寸法は、第３側面１３Ｃから第４側面１３Ｄまでの内寸とほぼ同じか、それよりもわずかに小さく、支持部材３０に載置されることによって、所定の位置に保持される。
【００１５】
閉鎖部材２０の一端２１には第１磁性体５１が埋設されている。第１側面１３Ａの内面であって、第１磁性体５１に対向する位置には第１磁性体５１に吸着可能な第２磁性体５２が埋設されている。閉鎖部材２０は、第１磁性体５１と第２磁性体５２との吸引力によって、これらの間に物理的障壁がない限り互いに吸着する。すなわち、後に詳細するが、操作部材４０がそれらの間にない限り第１磁性体５１と第２磁性体５２とは吸着し、その結果、閉鎖部材２０の一端２１は第１側面１３Ａに吸着保持される。
【００１６】
容器本体１０の第１側面１３Ａには、閉鎖部材２０を押圧可能な操作部材４０を備える。操作部材４０は、第１側面１３Ａの内側を図３の縦方向に移動可能なベース部４１と、ベース部４１から第１側面１３Ａの外側に突出する突出部４２とを備える。ベース部４１は、上面１１側に位置するとともに閉鎖部材の一端２１に当接可能な当接部４１Ａと、当接部４１Ａの反対側、すなわち、下面１２側に位置する非当接部４１Ｂと、第１側面１３Ａに対向する外面４１Ｃと、外面４１Ｃの反対側に位置する内面４１Ｄとを備える。当接部４１Ａは、外面４１Ｃから内面４１Ｄに向かって図面縦方向における寸法が小さくなるように、すなわち左下がりに傾斜する。
【００１７】
容器本体１０の第１側面１３Ａには、操作部材４０の突出部４２が突出可能な開口部１５が形成される。上面１１および下面１２方向すなわち図面縦方向における開口部１５の長さ寸法は、突出部４２のそれよりも大きい。また、第３側面１３Ｃおよび第４側面１３Ｄ方向すなわち図面奥行き方向における開口部１５の長さ寸法は、突出部４２のそれとほぼ等しいか、わずかに大きい。したがって、突出部４２は開口部１５内を上面１１および下面１２方向すなわち縦方向に移動可能である。突出部４２には、第１側面１３Ａから露出した面に凹部４３を設け、この凹部４３に操作する指を添わせることによって容易に図面縦方向に突出部４２を移動することができるようにしている。この実施形態においてベース部４１と突出部４２とは一体的に形成されているから、突出部４２を操作することによってベース部４１を含む操作部材４０全体を移動させることができる。
【００１８】
ベース部４１の非当接部４１Ｂ近傍であって、第１側面１３Ａに対向する面には第３磁性体５３が埋設される。第１側面１３Ａの内側には、第３磁性体５３に対向する位置に第４磁性体５４および第５磁性体５５が縦方向に離間して埋設される。より詳細に、図３（Ａ）に示したように、第４磁性体５４は、操作部材４０が上面１１側に位置するとき、すなわち縦方向上方に位置するときに操作部材４０の第３磁性体５３に対向する。図３（Ｂ）に示したように、第５磁性体５５は、操作部材４０が下面１２側に位置するとき、すなわち縦方向下方に位置するときに第３磁性体５３に対向する。このように操作部材４０の移動位置に対応して第４磁性体５４および第５磁性体５５が離間して埋設されるので、突出部４２を意図的に移動させない限り、第３磁性体５３と第４磁性体５４または第３磁性体５３と第５磁性体５５との吸着力によってそれぞれの位置を保持することができる。
【００１９】
図３（Ａ）の状態において、操作部材４０は上面１１側に位置するとともに、ベース部４１に埋設された第３磁性体５３と第１側面１３Ａに埋設された第４磁性体５４とが吸着し、この位置が保持される。すなわち、操作部材４０を操作しない限り下面１２側へと移動することがない。この状態において、ベース部４１の当接部４１Ａが閉鎖部材２０の一端２１を容器本体１０の第２側面１３Ｂ側へと押し付ける。すなわち、ベース部４１は、第１磁性体５１および第２磁性体５２の吸引力に抗して閉鎖部材２０を第２側面１３Ｂ側へと押し付ける。
【００２０】
閉鎖部材２０の一端２１の図面下方には、傾斜部２３を備える。この傾斜部２３は、操作部材４０の当接部４１Ａとほぼ等しい角度である。したがって、当接部４１Ａによって安定して閉鎖部材２０を第３側面１３Ｃ側へと押圧することができる。このように閉鎖部材２０が第３側面１３Ｃに押圧されることによって、第３側面１３Ｃによって開閉孔１４が閉鎖され、容器本体１０に収納された線香を保持することができ、これが容器本体１０の外へと飛び出るのを予防することができる。また、操作部材４０は第３磁性体５３と第４磁性体５４の吸着力によってその位置が保持されるので、不用意に開閉孔１４が空いて線香が飛び出すこともない。したがって、この線香収納容器１は携帯に便利である。
【００２１】
図３（Ａ）の状態から凹部４３に指を添わせ、突出部４２を下面１２側、すなわち図面下方に移動させる。操作部材４０は、第３磁性体５３および第４磁性体５４の吸引力に抗して下方へと移動する。このように移動すると、操作部材４０の第３磁性体５３と、第１側面１３Ａの第５磁性体５５とが対向するとともに、これらが互いに吸着する。操作部材４０が下方に移動すると、ベース部４１の当接部４１Ａも下方に移動し、閉鎖部材２０が第２側面１３Ｂ方向への押圧から解放される。閉鎖部材２０は、一端２１に埋設された第１磁性体５１と、第１側面１３Ａに埋設された第２磁性体５２との吸引力によって、互いに吸着する。このように吸着することによって、閉鎖部材２０は、第１側面１３Ａ側に移動し、閉鎖されていた開閉孔１４が解放され、この開閉孔１４から線香の出し入れが可能となる。
【００２２】
操作部材４０は、第３磁性体５３と第５磁性体５５とによって、下方に移動した位置が保持されるから、不用意にこれが上方に移動し閉鎖部材２０を押圧するのを防止することができる。仮に不用意に閉鎖部材２０が押圧されると、開閉孔１４が意図せず締ってしまい、線香を損傷してしまうおそれがある。
【００２３】
図３（Ｂ）に示した開閉孔１４が解放された状態から再びこれを閉鎖しようとした場合には、第３磁性体５３と第５磁性体５５との吸着力に抗して操作部材４０を上面１１側に移動させる。すなわち、凹部４３に再び指を添わせてこれを図面上方に押し上げる。するとベース部４１の当接部４１Ａが閉鎖部材２０の一端２１に当接し、当接部４１Ａの傾斜に沿って閉鎖部材２０を第２側面１３Ｂ側へと押圧する。当接部４１Ａには一端２１の傾斜部２３が当接するから、傾斜部２３が当接部４１Ａの傾斜に沿ってスムースに移動することができる。
【００２４】
上記のような構成において、操作部材４０を上面１１側または下面１２側に移動させることによって、開閉孔１４の開閉操作をすることができる。したがって、従来のように蓋を外す際にその勢いで線香が飛び出てしまうのを予防することができる。また、各磁性体の吸着によって、閉鎖部材２０の閉位置または開位置を保持することができるので、別途蓋を設ける必要がなく、その置き場所に困るというようなこともない。さらに、操作部材４０は、凹部４３に指を添わせて移動することができるので、片手で開閉孔１４の開閉ができるとともに、その作業が容易である。
【００２５】
この実施形態において、操作部材４０の突出部４２に設けた凹部４３は、略半円形に突出部４２をくりぬいた形状としているが、この形状に限定するものではない。例えば、円柱状に突出部４２をくりぬいた形状としても良いし、複数の線条凹部を設けるようにしても良いし、その他の形状としても良い。
容器本体１０の第１側面１３Ａには操作部材４０の位置を保持するために第４磁性体５４および第５磁性体５５を備えているが、いずれか一方を第２磁性体５２で兼用するようにしても良い。また、これら各磁性体の位置、数は適宜変更可能である。
【００２６】
閉鎖部材２０を支持する支持部材３０を別途設けることとしているが、容器本体１０がこれを兼ねるようにしても良い。例えば、第３側面１３Ｃおよび第４側面１３Ｄと一体的に形成される突起を設けて支持部材３０としても良いし、第３側面１３Ｃおよび第４側面１３Ｄに溝を設け、閉鎖部材２０を支持できるようにしても良い。
【００２７】
線香収納容器１を構成する各構成部材は、木材の他、金属、合成樹脂等、この種の分野において通常用いられている、各種の公知の材料を制限なく用いることができる。また、本考案の明細書および実用新案登録請求の範囲において、用語「第１」「第２」「第３」「第４」および「第５」の語は、同称の要素、位置等を単に区別するために用いられている。
【符号の説明】
【００２８】
１    線香収納容器
１０    容器本体
１４    開閉孔
２０    閉鎖部材
４０    操作部材
４１    ベース部
４１Ａ  当接部
４１Ｂ  非当接部
４２    突出部
５１    第１磁性体
５２    第２磁性体
５３    第３磁性体
５４    第４磁性体
５５    第５磁性体
【図１】
0003205989.tif 000003
【図２】
0003205989.tif 000004
【図３】
0003205989.tif 000005